(57)【特許請求の範囲】
【請求項１】
支基と、この支基に取り付けてなり第一の取付部を有する着座板と、前記支基に取り付けてなり上部フレームを先端に取り付けてなる背支桿とを具備し、着座板の着座部の後方に設けられた背もたれ部を後傾可能とした椅子において、前記着座板の着座部の後方に設けられた前記第一の取付部と当該第一の取付部に対して相対的に後方へ回転可能な前記上部フレームに取り付けてなる第二の取付部との間に伸縮性を有する張り部材を設けるとともに、この張り部材を前記第一の取付部及び第二の取付部の上面に沿って取り付け、この張り部材の下端辺を第一の取付部に固定し、上端辺側を第二の取付部に取り付け、この張り部材の張力により背支桿の上端部分を張り部材の下端辺側に引っ張り込むようにし、当該張り部材に、前記背もたれ部を起立状態に復元させるような張力を持たせたことを特徴とする椅子。
【請求項２】
支基と、この支基に取り付けてなり第一の取付部を有する着座板と、前記支基に取り付けてなり上部フレームを先端に取り付けてなる背支桿とを具備し、着座板の着座部の後方に設けられた背もたれ部を後傾させうる椅子において、前記着座板の着座部の後方に設けられた第一の取付部と、当該第一の取付部に対して相対的に後方へ回転可能な前記上部フレームに取り付けてなる第二の取付部との間に伸縮性を有する張り部材を設けるとともに、この張り部材を前記第一の取付部及び第二の取付部の上面に沿って取り付け、この張り部材の下端辺を第一の取付部に固定し、上端辺側を第二の取付部に取り付け、この張り部材の張力により背支桿の上端部分を張り部材の下端辺側に引っ張り込むようにし、前記背もたれ部を後傾させるに従って、前記背もたれ部を起立状態に復元させるように張力を増大させたことを特徴とする椅子。
【請求項３】
前記着座部の後方に設けられた第一の取付部と、当該第一の取付部に対して相対的に後方へ回転可能な第二の取付部との間に伸縮性を有する張り部材および弾性片を設けるとともに、前記背もたれ部を後傾させた場合に、前記張り部材の伸縮および前記弾性片の撓みに基づく弾性力によって前記背もたれ部に対する復元力を付与することを特徴とする請求項１または２に記載の椅子。
【発明の詳細な説明】
【０００１】
【発明の属する技術分野】
本発明は、椅子の構造に関し、より詳しくは、後傾させた背もたれ部を復元させるための椅子の構造に関するものである。
【０００２】
【従来の技術】
現在、オフィスなどでは、背もたれ部を後傾させるような椅子が多く設けられている。このような椅子は、主に、着座部の下方に設けられた回転軸を中心に背支桿を回転させるようにしており、また、このように背もたれ部を後傾させた場合に、その背もたれ部を前方に押し戻すようなバネ部材やガススプリングなどを着座部の下方に取り付けるようにしている。
【０００３】
【発明が解決しようとする課題】
ところが、従来のようにバネ部材やガススプリングによって背もたれ部を復元させるようにすると、着座部の下方の狭い部分に大きな弾性力を有するバネ部材やガススプリングを設けなければならず、更に、これらの復元力を調整する必要が生じた場合、バネ部材やガススプリングに隣接して弾性力を調整するための機構を設けなければならないという問題を有していた。
【０００４】
そこで、本発明は、上記問題に着目してなされたもので、着座部の下方に設けられたバネ部材やガススプリング以外の部材によって直接的もしくは補助的に背もたれ部に対する復元力を持たせるような椅子を提供することを目的とするものである。
【０００５】
【課題を解決するための手段】
本発明は、上記目的を達成するために、支基と、この支基に取り付けてなり第一の取付部を有する着座板と、前記支基に取り付けてなり上部フレームを先端に取り付けてなる背支桿とを具備し、着座板の着座部の後方に設けられた背もたれ部を後傾可能とした椅子において、前記着座板の着座部の後方に設けられた前記第一の取付部と当該第一の取付部に対して相対的に後方へ回転可能な前記上部フレームに取り付けてなる第二の取付部との間に伸縮性を有する張り部材を設けるとともに、この張り部材を前記第一の取付部及び第二の取付部の上面に沿って取り付け、この張り部材の下端辺を第一の取付部に固定し、上端辺側を第二の取付部に取り付け、この張り部材の張力により背支桿の上端部分を張り部材の下端辺側に引っ張り込むようにし、当該張り部材に、前記背もたれ部を起立状態に復元させるような張力を持たせたことを特徴とするものである。
【０００６】
このように構成することによって、背もたれ部に設けられた張り部材によって背もたれ部を復元させるようにすることができ、また、張り部材の張り方を変えることによって復元力を調整することもできるようになる。なお、張り部材を取り付けるための第一の取付部としては、着座部だけでなく、この着座部の後方に設けられた背支桿とは別の部材にこのような第一の取付部を設けるようにしても良い。また、張り部材によって復元力を持たせる場合、張り部材のみによって背もたれ部の上部を復元させるようにしても良いが、より細かく復元力を調整できるようにするためには、バネ部材やガススプリングなどによって大きな復元力を持たせ、一方、張り部材によって小さな復元力を持たせて全体としての復元力を調整するようにすると良い。
【０００７】
また、この場合、背もたれ部を後傾させるに従って、張り部材の張力を徐々に増加させ、背もたれ部に対する復元力を増大させるようにすると良い。このように構成すれば、最も後傾する位置に近づくに従って徐々に復元力を大きくさせることができ、これによって、急激な後傾動作を防止することができるようになる。
【０００８】
更に、このように張り部材を用いて背もたれ部を後傾させる場合、背もたれ部に弾性片も設けて、この弾性片の撓みと張り部材の伸びによって背もたれ部に対する復元力を持たせるようにすると良い。このように構成した場合は、背もたれ部により強い復元力を持たせることができるようになる。
【０００９】
【発明の実施の形態】
以下、本発明の一実施の形態について図面を参照して説明する。図１は、本発明の一実施の形態を示す椅子１の背面を示したものであり、また図２は、この椅子１の着座板４および背もたれ部の正面斜視図を示したものであって図１における着座クッション６を取り外した状態を示したものである。
【００１０】
この椅子１は、ベース脚２に取り付けられた支基３と、この支基３に対して取り付けられた着座板４および背支桿５とを設け、更に、この着座板４上に取り付けられる着座クッション６と背もたれ部に設けられた張り部材７とによって構成されるものである。
【００１１】
この支基３は、アルミ部材などで構成したものであり、その下側をベース脚２に対して回転可能に取り付けるとともに、その上部に着座板４を取り付け、更に、この支基３の後部に背もたれ部を構成するための背支桿５を取り付けて構成したものである。
【００１２】
この支基３に取り付けられている着座板４は、樹脂などを加工して形成したものであり、図２に示すように、その上面に着座クッション６などを取り付けるようにした着座クッション取付面４０と、この着座クッション取付面４０の後部から連続して設けた第一の取付部たる起立部４１とによって構成したものである。この着座板４は、支基３に対してその裏面の略中央部分に図示しない取付機構によって取り付けられており、また、着座クッション取付面４０の前端側については、着座者の膝の裏側が当たらないように、下側に屈曲させた形状に構成している。
【００１３】
この着座クッション取付面４０の左右後端に設けられた薄板状の起立部４１は、背もたれ部の一部を構成するものであって、着座クッション取付面４０の左右後端部分から上方に屈曲させて、この部分を弾性変形させるようにしたものである。また、左右の起立部４１の間には凹部４２が形成されており、これによって、着座者の背骨ないしは坐骨部分が直接起立部４１に当たらないようにしている。また、この起立部４１は、その屈曲部分４１ａを中心として自由端側４１ｂを後方に撓ませるようにしており、更に、その起立部４１の上端近傍についても湾曲させた湾曲部４１ｃを設けて、着座者が着座した場合にこの湾曲部４１ｃに張り部材７を沿わせるようにしている。
【００１４】
符号５は、背もたれ部の一部を構成する背支桿を示したものである。この背支桿５は、その下端を支基３に設けられた回転軸５１を中心に回転可能に取り付けられるとともに、着座板４の中央下方から上方に向けて屈曲させ、更に、左右の起立部４１の中央部後方を通って背もたれ部の上方まで延びるようにしたものである。また、この背支桿５の上端近傍は前方向に向けて屈曲して構成されており、その先端に湾曲して構成した上部フレーム５０を取り付けるとともに、その両端部分に第二の取付部たる弾性片８を取り付けるようにしている。なお、この背支桿５は、支基３に設けられた回転軸５１の近傍で図示しないバネ部材やガススプリングなどによって背もたれ部を起立する方向に押圧するようにしている。
【００１５】
この上部フレーム５０の両端に設けられた弾性片８は、合成樹脂などによって構成したものであり、その形状を略縦長状に構成するとともに、この弾性片８における上端側を上部フレーム５０上に固定して取り付け、更に、他端側である自由端を前述の起立部４１と向かい合うように設けたものである。また、この弾性片８も起立部４１と同様に、その自由端である下端部分を背もたれ部の後方に向けて湾曲させた湾曲部８ｃを設け、弾性片８の固定端側についても、その固定端の接線方向が背もたれ部の前方に向くようにし、これによって、張り部材７を前方側に押圧してクッション性を良くしている。
【００１６】
符号７は、この弾性片８や起立部４１の上面に沿って取り付けられる張り部材を示したものであり、例えば、綿材や麻材、ナイロンなどのように伸縮性を有する部材によって構成されたものである。この張り部材７は、その下端辺７ｄを起立部４１の屈曲部分４１ａ近傍に固定し、さらに、張り部材７に皺が生じないように張った状態で上端辺７ｕ側を弾性片８の上端に取り付けるようにしている。これによって、張り部材７を取り付けた場合に、その張力によって背支桿５の上端部分を張り部材７の下端辺７ｄ側に引っ張り込み、背支桿５の後傾を復元させるように回転させている。
【００１７】
次に、このように構成された椅子１の背もたれ部を後傾させる場合の状態を図３に説明する。
【００１８】
背もたれ部を起立させた状態において背支桿５を後方に回転させると、張り部材７の下端辺７ｄの位置が殆ど変化しない状態で上端辺７ｕが後方に移動する。なお、このように後傾させた場合、張り部材７の上端辺７ｕが回転軸５１と下端辺７ｄの延長線Ｍ上にきた時点で、張り部材７の上下端の直線距離Ｌ２が最も短くなり、一方、この延長線Ｍから最後傾位置までの間では、逆に張り部材７の上下端の直線距離が徐々に大きくなる。従って、通常は、後傾開始地点からＭ点までの間では張り部材７が縮む方向に作用し、張力が徐々に弱くなる方向に作用する。しかし、本実施の形態のように起立部４１や弾性片８を設けた場合、起立部４１などの存在によって張り部材７が湾曲した形状、すなわち、張り部材７の実際の長さが長くなる方向に作用するため、背もたれ部の後傾に基づく直線距離の短縮化と相俟って、張り部材が縮む方向に作用するか、もしくは伸びる方向に作用するかが弾性片８や起立部４１の剛性に依存して決定されることになる。この場合、弾性片８や起立部４１の剛性を強くすれば、背もたれ部の後傾角度が大きくなるに従って張り部材７を伸ばす方向に作用できるが、より好適には、この張り部材７を一旦縮む方向に作用させた後、所定位置を過ぎた地点で今度は逆に張り部材７を伸ばす方向に作用させるような剛性を有する弾性片８や起立部４１を選択すると良い。このようにすれば、後傾動作を開始する際は楽な力でその後傾動作をさせることができ、また、後傾角度が大きくなるに従って張り部材８のテンションを強くすることができるので、急激な後傾動作を防止することができる。
【００１９】
このように、この実施の形態においては、着座板４の後方に設けられた背もたれ部を後傾可能とした椅子１において、着座板４の後方に設けられた第一の取付部たる起立部４１と、この起立部４１に対して後方へ回転可能な背支桿５に設けられた第二の取付部たる弾性片８との間に伸縮性を有する張り部材７を設け、この張り部材７の張力によって背もたれ部を構成する背支桿５を復元させるようにしたので、張り部材７によっても背もたれ部に対する復元力を持たせるようにすることができる。
【００２０】
また、本実施の形態では、背もたれ部を後傾させるに従って張り部材の張力を徐々に増加させるようにしたので、後傾するに従って復元力を徐々に大きくさせることができ、これによって、急激な後傾動作を防止することができるようになる。
【００２１】
更に、本実施の形態では、張り部材７だけでなく、起立片４１や弾性片８などのような薄板状の弾性片を設け、この弾性片の撓みに基づく復元力によっても背もたれ部を復元させるようにしたので、背もたれ部により強い復元力を持たせるようにすることができる。
【００２２】
なお、本実施の形態においては、張り部材７の下端辺７ｄを起立部４１に取り付けるようにしたが、これに限らず、背支桿５の上端部分との距離が変化する部材であれば、どのような部材に取り付けてもよい。例えば、本実施の形態以外の構成としては、支基３に対して着座者の腰骨付近を押圧するフレームを取り付け、このフレームに張り部材７の下端辺７ｄを取り付けることなどが考えられる。
【００２３】
また、本実施の形態では、起立部４１と弾性片８との自由端側を分離すように設けているが、これに限らず、起立部４１と弾性片８との自由端側をオーバーラップさせるように設け、この弾性片８などを包み込むように張り部材を設けるようにしても良い。この場合、起立部４１の自由端側の上に弾性片８の自由端側を載せるように設ければ、背もたれ部を後傾させた場合であっても、弾性片８が起立部４１の自由端側を押圧しながら変形するので、背もたれ部分の段差を少なくすることができる。
【００２４】
【発明の効果】
本発明は、以上説明したような形態で実施され、以下に記載されるような効果を奏する。
【００２５】
すなわち、本発明は、支基と、この支基に取り付けてなり第一の取付部を有する着座板と、前記支基に取り付けてなり上部フレームを先端に取り付けてなる背支桿とを具備し、着座板の着座部の後方に設けられた背もたれ部を後傾可能とした椅子において、前記着座板の着座部の後方に設けられた前記第一の取付部と当該第一の取付部に対して相対的に後方へ回転可能な前記上部フレームに取り付けてなる第二の取付部との間に伸縮性を有する張り部材を設けるとともに、この張り部材を前記第一の取付部及び第二の取付部の上面に沿って取り付け、この張り部材の下端辺を第一の取付部に固定し、上端辺側を第二の取付部に取り付け、この張り部材の張力により背支桿の上端部分を張り部材の下端辺側に引っ張り込むようにし、当該張り部材に、前記背もたれ部を起立状態に復元させるような張力を持たせるようにしたので、張り部材を用いて背もたれ部を復元させるようにすることができるようになる。
【００２６】
また、別の発明では、支基と、この支基に取り付けてなり第一の取付部を有する着座板と、前記支基に取り付けてなり上部フレームを先端に取り付けてなる背支桿とを具備し、着座板の着座部の後方に設けられた背もたれ部を後傾させうる椅子において、前記着座板の着座部の後方に設けられた第一の取付部と、当該第一の取付部に対して相対的に後方へ回転可能な前記上部フレームに取り付けてなる第二の取付部との間に伸縮性を有する張り部材を設けるとともに、この張り部材を前記第一の取付部及び第二の取付部の上面に沿って取り付け、この張り部材の下端辺を第一の取付部に固定し、上端辺側を第二の取付部に取り付け、この張り部材の張力により背支桿の上端部分を張り部材の下端辺側に引っ張り込むようにし、前記背もたれ部を後傾させるに従って、前記背もたれ部を起立状態に復元させるように張力を増大させるようにしたので、最も後傾する位置に近づくに従って徐々に復元力を大きくさせることができ、これによって、急激な後傾動作を防止することができるようになる。
【００２７】
更に、このような発明において、前記着座部の後方に設けられた第一の取付部と、当該第一の取付部に対して相対的に後方へ回転可能な第二の取付部との間に伸縮性を有する張り部材および弾性片を設けるとともに、前記背もたれ部を後傾させた場合に、前記張り部材の伸縮および前記弾性片の撓みに基づく弾性力によって前記背もたれ部に対する復元力を持たせるようにしたので、背もたれ部分により強い復元力を持たせるようにすることができる。
【図面の簡単な説明】
【図１】本発明の一実施の形態を示す椅子の背面斜視図。
【図２】同実施の形態を示す要部側面図。
【図３】同実施の形態における背もたれ上部フレームのみを後傾させた状態を示す図。
【符号の説明】
１・・・椅子
４・・・着座部（着座板）
５・・・背もたれ部（背支桿）
７・・・張り部材
８・・・第二の取付部（弾性片）
４１・・・第一の取付部（起立部）
５０・・・背もたれ部（上部フレーム）
５１・・・回転軸
【図１】
0003949367.tif 000002
【図２】
0003949367.tif 000003
【図３】
0003949367.tif 000004